(57)【要約】      （修正有）【課題】２次側信号ラインの配線にサージアブソーバを配置することにより、誘導雷又は誘導雷等による自動ドア制御装置の破損被害を最小限に抑える。【解決手段】自動ドア制御装置は、ドアを開閉駆動するモータ２と、その制御を行うドア制御装置１と、ドアの開閉指令を発するセンサー３を備え、開閉指令を遠隔で行う。ドア制御装置のＡＣ電源入力部にサージ吸収用のアブソーバ４を、２次側信号ラインにもサージ吸収用のアブソーバ１３を備える。入出力回路１０とセンサーの接続ライン間に低圧用サージアブソーバを接続し、他方をアースに接続することにより、高電圧サージは経路２２を経由してアースに流れ込み破損被害を最小限に留める。【選択図】図１
2019218748.tif 000002
【特許請求の範囲】
【請求項１】
ドアを開閉駆動する、モータとその制御を行うドア制御装置とドアの開閉指令を発するセンサー及び開閉指令を遠隔で行う装置において、前記ドア制御装置のAC電源入力部にサージ吸収用のアブソーバを備えることと、2次側信号ラインにもサージ吸収用のアブソーバを備えることを特徴とする自動ドア制御装置。
【発明の詳細な説明】
【技術分野】
【０００１】
この発明は、落雷又は誘導雷に対してドアの開閉を制御する自動ドア制御装置の破損被害を最小限に抑える方法に関するものである。
【背景技術】
【０００２】
一般に自動ドアは建物の一番外側に据え付けられることにより、落雷又は誘導雷の被害を受け易い環境になっている。
【０００３】
また近年、異常気象現象等により竜巻、落雷と言った被害が急増している中で、自動ドアの安全に対する機運が高まり、今まで以上の安全対策が要求されるようになってきた。
【０００４】
そこで、落雷又は誘導雷等による破損の被害を最小限に抑えた自動ドアを提供するものである。
【０００５】
これまでの自動ドアは、AC100V電源入力部にはサージ吸収用アブソーバが備えられているが、2次側信号ラインに対しては落雷及び誘導雷等の保護がなされていなかった。
【０００６】
自動ドアはドアの開閉を指令するセンサーとドア制御装置の配線を建築物の柱等を経由して接続しているため、この配線に誘導雷等が侵入し高電圧サージによりドア制御装置を破損させる被害が発生している。
【０００７】
近年、工場及びマンション等では自動ドアの開閉を集中管理するため、2次側信号ラインの配線が数十メートルに及ぶことがあり、この配線に誘導雷等が侵入し高電圧サージによりドア制御装置を破損させる被害も発生している。
【０００８】
また、地落等があり逆流雷が発生した場合にドア制御装置と集中管理盤のアースが離れて取られているため、お互いのアース電位が異なり集中管理盤のアースに侵入したサージが２次側信号ラインの配線を経由してドア制御装置に侵入しドア制御装置を破損させる被害も発生している。
【先行技術文献】
【特許文献】
【０００９】
【特許文献１】特開２０００−２１７２４９号公報
【発明の概要】
【発明が解決しようとする課題】
【００１０】
しかしながら、上記特許文献1に示される従来の落雷または誘導雷に対する保護手段はACコンセント側（AC100V電源入力部）のみの対策となっており、2次側信号ラインの配線に高電圧サージが発生した場合には、ドア制御装置が破損するという問題があった。
【課題を解決するための手段】
【００１１】
上記の課題を解決するため、本発明では2次側信号ラインの配線にサージアブソーバを配置することにより、誘導雷又は誘導雷等による自動ドア制御装置の破損被害を最小限に抑えること可能とするものである。
【図面の簡単な説明】
【００１２】
【図１】AC100V入力ラインから侵入した高電圧サージの経路と自動ドア制御装置の概略、自動ドア制御装置とドア駆動用モータ及びドアの開閉指令を出力するセンサーを表し、2次側信号ラインの配線に高電圧サージが印加した場合の経路を示した図である。
【図２】自動ドア制御装置に繋がるモータとドアの開閉を管理する集中管理盤を表し、地落等により発生した高電圧サージが集中管理盤からドア制御装置を経由してアース流れる経路を示した図である。
【発明を実施するための形態】
【００１３】
以下、本発明の実施例を添付図に従って説明する
【実施例１】
【００１４】
図１は落雷又は誘導雷がAC100Vライン31から印加された場合と２次側信号ラインの配線32に印加された場合の高電圧サージ経路21,22を表したものである。
【００１５】
図1のドア制御装置は入力初段に高圧用のサージアブソーバA4を備え、次段にコモンモードチョークコイル5とコンデンサー6でフィルターを構成し、ダイオードブリッジ7と平滑用の電解コンデンサー8によりAC100VをDC140Vに変換し、またDC電源回路9により２次側電源のDC24V及びDC5Vを作りだしている。
【００１６】
DC24Vは入出力回路10に電源を供給し、外部に取付けられているドア開閉指令を行うセンサー3に接続されている。
【００１７】
DC5Vは制御回路11に供給される。
【００１８】
またDC140Vはモータドライバ12を経由してモータ2に供給される、一般的なドア制御装置である。
【００１９】
AC100Vライン31に落雷または誘導雷が発生した場合、高電圧サージがドア制御装置1に印加される。
【００２０】
印加された高電圧サージは入力初段の高圧用のサージアブソーバA4を介し高圧用サージ経路21によりアースに流れ込みドア制御装置の破損被害を最少減に留めることができる。
【００２１】
次に２次側DC電源回路9に接続された入出力回路10とドア開閉用センサー3との2次側信号ラインの配線32に誘導雷等の高電圧サージが印加された場合に、入出力回路10等が破損してしまうことがある。
【００２２】
この高電圧サージが印加された場合を考慮し、入出力回路10とセンサー3の接続ライン間に低圧用サージアブソーバB  13を接続し、他方をアースに接続することにより、高電圧サージは経路22を経由してアースに流れ込み破損被害を最小限に留めることが出来る。
【００２３】
図2はドア制御装置1とドアの開閉を管理する集中管理盤14を表したもので、ドア制御装置1と集中管理盤14の距離は長い所で数十メートルに及ぶ場合がある。
【００２４】
この距離が長いことにより、集中管理盤14の近辺に地落等が発生した場合、集中管理盤14のアース電位とドア制御装置1のアース電位が異なってしまい、アース間の電位差が生じ集中管理盤14からドア制御装置1に高電圧サージが印加されることになり、入出力回路10等が破損してしまうことがある。
【００２５】
この高電圧サージが印加された場合を考慮し、入出力回路10とセンサー3の接続ライン間に低圧用サージアブソーバB  13を接続し、他方をアースに接続することにより、高電圧サージは高電圧サージの経路23を経由してアースに流れ込み破損被害を最小限に留めることが出来る。
【符号の説明】
【００２６】
１  ドア制御装置
２  モータ
３  センサー（ドア開閉用）
４  サージアブソーバA（高圧用）
５  コモンモードチョークコイル
６  コンデンサ
７  ダイオードブリッジ
８  電解コンデンサ（平滑用）
９  DC電源回路
１０  入出力回路
１１  制御回路
１２  モータドライバ
１３  サージアブソーバB（低圧用）
１４  集中管理盤（ドア開閉）
２１  高電圧サージ経路
２２  高電圧サージ経路
２３  高電圧サージ経路
３１  AC100Vライン
３２  ２次側信号ラインの配線
【図１】
2019218748.tif 000003
【図２】
2019218748.tif 000004